(57)【特許請求の範囲】
【請求項１】
一対の電極間に、画像を担持する光の照射と該一対の電極間への電圧の印加とにより画像が記録される液晶層を積層してなる電子表示媒体を複数枚重ね合わせて配置したときの該電子表示媒体それぞれの一対の電極間に電圧を印加する電圧印加手段と、
前記電子表示媒体に、画像を表示する表面側とは反対の裏面側から、画像を担持する光を照射する書込光照射手段と、
前記電圧印加手段と前記光照射手段とを調整することにより前記複数枚の電子表示媒体それぞれに画像を書き込む制御手段とを備え、
前記制御手段は、さらに前記光照射手段に、前記複数枚の電子表示媒体のうちの画像が記録された第１の電子表示媒体の裏面側に重ね合わせて配置された状態の第２の電子表示媒体に、該第１の電子表示媒体に画像を記録するときに照射した光に担持させた画像と同じ画像を担持する光を照射させるとともに、前記電圧印加手段に、該第２の電子表示媒体の一対の電極間に電圧を印加させることにより、該第２の電子表示媒体に、該第１の電子表示媒体に記録された画像と同じ絵柄を有するフォトマスク画像を書き込み、その後さらに前記書込光照射手段に、該第２の電子表示媒体を介して該第１の電子表示媒体に記録された画像に追記する追記画像を担持する光を照射させるとともに、前記電圧印加手段に、該第１の電子表示媒体の一対の電極間に電圧を印加させることにより、画像が記録された状態の第１の電子表示媒体に該画像に追記する追記画像を書き込むものであることを特徴とする画像書込装置。
【請求項２】
前記電子表示媒体は、前記一対の電極間に、メモリ性を有する液晶層と、光が吸収されると抵抗値が変化する光導電層とを積層してなるものであることを特徴とする請求項１記載の画像書込装置。
【請求項３】
前記制御手段は、前記光照射手段に、前記第１の電子表示媒体に画像を記録するときに照射させた光を、前記第２の電子表示媒体に照射させるとともに、前記電圧印加手段に、該第１の電子表示媒体に画像を記録するときに印加させた電圧と異なる電圧を、該第２の電子表示媒体の一対の電極間に印加させることにより、該第１の電子表示媒体に前記追記画像を書き込む前に、該第２の電子表示媒体に、該第１の電子表示媒体に記録された画像とは光の反射状態と透過状態とが反転されたネガ画像を書き込むものであることを特徴とする請求項１記載の画像書込装置。
【請求項４】
前記電子表示媒体の液晶層は、コレステリック液晶からなるものであって、前記第１と第２の電子表示媒体の液晶層は、共に同一の選択反射波長を有するものであることを特徴とする請求項１又は２記載の画像書込装置。
【請求項５】
前記光照射手段は、前記第２の電子表示媒体のコレステリック液晶の捩れ方向と同方向に旋光する光を透過し、該捩れ方向と逆方向に旋光する光を吸収する円偏光板を備えたものであることを特徴とする請求項４記載の画像書込装置。
【発明の詳細な説明】
【０００１】
【発明の属する技術分野】
本発明は、ＯＡ機器、パーソナルコンピューター、ワードプロセッサ、ハンディ端末機器、携帯型情報通信機器、ＰＯＳターミナルなどのデイスプレイ装置等の画像情報を記録することができる電子表示媒体に、画像情報を書き込む画像書込装置に関する。
【０００２】
【従来の技術】
ポリマーフィルム等可撓性を有するフレキシブルな素材を基板として用いる光学的表示パネルは、ガラス基板で構成した表示パネルに比べて軽量かつ薄くできる上、曲げることが可能であることから、携帯型の電子ディスプレイ装置などの分野において広く用いられている。
【０００３】
なかでも、コレステリック液晶を透明な樹脂材料中に分散してなる自己保持型液晶を用いた液晶表示媒体は、安定なメモリー性を有し、簡易な駆動電源を用いるだけで高精細表示が可能になることから注目されている。
【０００４】
また、コレステリック液晶の光散乱モードの高コントラスト性を利用することにより高速表示と高解像度を両立させたディスプレイ装置は、フリッカがないので表示が見やすく、目が疲れないというマンマシンインタフェース上の要請、および画像情報表示と情報保存が無電源により実現できるという省エネルギー上の要請に合致するものと思われる。
【０００５】
さらに、コレステリック液晶を透明な樹脂材料中に分散してなる自己保持型液晶と光導電体とを積層することにより、電圧の印加と光の照射とによって画像表示可能な電子表示媒体は、保存と書き換えが可能であることから、従来から記録媒体として用いている紙の代替物として、または従来から電子ディスプレイ表示情報のハードコピーとして用いている紙の代替物として、しかも繰り返し利用することにより省資源、省廃棄物を実現し得る記録・表示媒体として活用が期待される。
【０００６】
しかしながら、この光導電体を積層し電圧の印加と光の照射とによって画像を表示する電子表示媒体は、画像情報を写し撮る方式であるために、先の画像情報の一部を書き換えたり、新たな画像情報を書き加えたりするために電圧の印加と光の照射を行うと、既に書き込まれていた情報が消えて、新たな画像情報のみが書き込まれる。したがって、電子表示媒体に記憶素子が搭載されていない場合には電子表示媒体自体には現にその時点で表示されている情報が保存されているだけであるから、その電子表示媒体に別の画像情報を追加して表示、保存させるために電圧の印加と光の照射を行っても追記ができないという問題がある。
【０００７】
そこで、電圧と光とにより画像を書き込む方式の電子表示媒体に表示されている情報に画像を追記する場合には、電子表示媒体の基板フィルム又は電子表示媒体を被う保護プラスチック上に消去可能な画像を記録する筆記具などで追記画像を書き加えるなどの方法が採られている。
【０００８】
しかし、この方法では、フィルムやプラスチックに書き加える追記画像は消去可能なものでなければならず、そのための筆記具が必要なときに手元になければならない上、フィルムやプラスチックに追記画像を繰り返し書き加えるうちにそのフィルムやプラスチック表面が汚れ、次第に透明度が落ちてくるという問題がある。さらに、電子表示媒体に記録された画像を書き換える際には、電子表示媒体に筆記具で書き加えた追記画像はその都度消去する必要があるというわずらわしさもある。また、電子表示媒体に記録された画像情報と追記情報とはフォントや色などや表示形態が一致しないという問題がある。
【０００９】
【発明が解決しようとする課題】
本発明は、上記事情に鑑み、電圧の印加と光の照射とによって画像情報が記録される電子表示媒体に、先に記録された画像に別の追記画像を同じ表示形態で書き加えた画像を表示させることが可能な画像書込装置を提供することを目的とする。
【００１０】
【課題を解決するための手段】
上記の目的を達成する本発明の画像書込装置は、一対の電極間に、画像を担持する光の照射と該一対の電極間への電圧の印加とにより画像が記録される液晶層を積層してなる電子表示媒体を複数枚重ね合わせて配置したときの該電子表示媒体それぞれの一対の電極間に電圧を印加する電圧印加手段と、
前記電子表示媒体に、画像を表示する表面側とは反対の裏面側から、画像を担持する光を照射する書込光照射手段と、
前記電圧印加手段と前記光照射手段とを調整することにより前記複数枚の電子表示媒体それぞれに画像を書き込む制御手段とを備え、
前記制御手段は、さらに前記書込光照射手段に、前記複数枚の電子表示媒体のうちの画像が記録された第１の電子表示媒体の、裏面側に重ね合わせて配置された状態の第２の電子表示媒体を介して該第１の電子表示媒体に記録された画像に追記する追記画像を担持する光を照射させるとともに、前記電圧印加手段に、該第１の電子表示媒体の一対の電極間に電圧を印加させることにより、画像が記録された状態の第１の電子表示媒体に該画像に追記する追記画像を書き込むものであることを特徴とする。
【００１１】
ここで、前記電子表示媒体は、前記一対の電極間に、メモリ性を有する液晶層と、光が吸収されると抵抗値が変化する光導電層とを積層してなるものであることが好ましい。
【００１２】
また、前記制御手段は、前記光照射手段に、前記第１の電子表示媒体に画像を記録するときに照射させた光を、前記第２の電子表示媒体に照射させるとともに、前記電圧印加手段に、該第１の電子表示媒体に画像を記録するときに印加させた電圧と異なる電圧を、該第２の電子表示媒体の一対の電極間に印加させることにより、該第１の電子表示媒体に前記追記画像を書き込む前に、該第２の電子表示媒体に、該第１の電子表示媒体に記録された画像とは光の反射状態と透過状態とが反転されたネガ画像を書き込むものであることが好ましい。
【００１３】
また、前記電子表示媒体の液晶層は、コレステリック液晶からなるものであって、前記第１と第２の電子表示媒体の液晶層は、共に同一の選択反射波長を有するものであることが好ましい。
【００１４】
さらに、前記光照射手段は、前記第２の電子表示媒体のコレステリック液晶の捩れ方向と同方向に旋光する光を透過し、該捩れ方向と逆方向に旋光する光を吸収する円偏光板を備えたものであることも好ましい態様である。
【００１５】
【発明の実施の形態】
以下に、本発明の電子画像表示装置の実施形態について説明する。
【００１６】
先ずはじめに、図１から図４に基いて、本発明の画像書込装置を用いて電子表示媒体に画像を書き込む原理について説明する。
【００１７】
図１は、本実施形態の画像書込装置で電子表示媒体に画像を記録する原理を説明するための電子表示媒体の等価回路を示す図である。
本実施形態に用いる電子表示媒体は、一対の電極間に、画像を担持する光の照射とその一対の電極間への電圧の印加とにより画像が記録される、例えばメモリー性のあるコレステリック液晶などからなる液晶層と、光が吸収されると抵抗値が変化する光導電層とを積層してなるものであって、これを複数重ね合わせて所定の書き込み位置に配置される。これら複数の電子表示媒体各々に画像を書き込む原理は、画像を担持する、画素毎に調整された光の照射と、電子表示媒体の一対の電極間へのパルス電圧の印加とにより、画素毎に調整された光に応じて、液晶層の表示／非表示状態が変化することにより画像が記録されるものである。
【００１８】
電子表示媒体は、コレステリック液晶層と等価な、コンデンサと抵抗との並列回路と、光導電体層と等価な、可変コンデンサと可変抵抗との並列回路とが直列に接続された回路としてあらわすことができる。光導電体層のうち光が照射された部分は抵抗値が低くなり、光が照射されなかった部分は抵抗値が高くなる。その結果、一対の電極間に印加されたパルス電圧のうち液晶層に加わる分圧は照射光の強度分布に応じて分布するので、コレステリック液晶層の表示／非表示状態が照射された画素毎に調整された光に応じて変化する。
【００１９】
ここで、Ｃａは液晶層の静電容量、Ｃｂは光導電体層の静電容量、Ｒａは液晶層の抵抗値、Ｒｂは光導電体層の抵抗値とし、電子表示媒体の一対の電極間に画像書込装置から印加される電圧をＶとすると、液晶層に印加される電圧Ｖａは
Ｖａ＝Ｖ×Ｃａ／Ｃ＝Ｖ／（１＋Ｒｂ／Ｒａ）
で表される。
【００２０】
ここで、Ｃ＝ＣａＣｂ／（Ｃａ＋Ｃｂ）である。
【００２１】
光導電体層４として電荷移動錯体型または共晶錯体型の有機感光体を用いる場合には、単純に塗布膜厚を制御することによって、また積層型の有機感光体を用いる場合には、より単純に電荷輸送層の膜厚を制御することによって十分な抵抗値変化を得ることができる。
【００２２】
図２は、本実施形態に用いる電子表示媒体の電圧-反射率特性を示す模式図である。
【００２３】
図２において、縦軸は液晶層の光の反射率、横軸は一対の電極間に印加される外部電圧をあらわしている。また、図の実線は、光が照射された状態、図の点線は、光が照射されない状態における液晶層の電圧−反射率特性をあらわしている。また、光が照射された状態において液晶層がプレーナー相からフォーカルコニック相へ変化する閾値電圧がＶｐｆｅ、光が照射されない状態において液晶層がプレーナー相からフォーカルコニック相へ変化する閾値電圧がＶｐｆｕ、光が照射された状態において液晶層がフォーカルコニック相からプレーナー相へ変化する閾値電圧がＶｆｐｅ、光が照射されない状態において液晶層がフォーカルコニック相からプレーナー相へ変化する閾値電圧がＶｆｐｕである。
【００２４】
今ＶｐｆｅからＶｐｆｕの範囲内の電圧Ｖａを一対の電極間に印加し、光を照射すると、液晶層は、プレーナー相からフォーカルコニック相に変化するので、光は、反射状態（明状態）から透過状態（暗状態）に変化し、ポジ状態に画像が記録される。一方ＶｆｐｅからＶｆｐｕの範囲内の電圧Ｖｃを一対の電極間に印加し、光を照射すると、液晶層は、フォーカルコニック相からプレーナー相に変化するので、光は、透過状態（暗状態）から反射状態（明状態）に変化し、ネガ状態に画像が記録される。また、Ｖｆｐｕ以上の電圧Ｖｂを一対の電極間に印加すると、光の照射の有無にかかわらず液晶層全体がプレーナー相に変化する。
【００２５】
液晶層の電圧−反射率特性は、液晶層を構成するコレステリック液晶の誘電率異方性、弾性率、螺旋ピッチ、高分子の骨格構造や側鎖、相分離プロセス、高分子と液晶の界面のモルフォロジ、これらの総合によって決まる高分子と液晶との界面におけるアンカリング効果の程度などによって、制御することができる。
【００２６】
具体的には、ネマチック液晶の種類や組成比、カイラル剤の種類、樹脂の種類、高分子樹脂の出発物質であるモノマー、オリゴマー、開始剤、架橋剤などの種類や組成比、重合温度、光重合のための露光光源、露光強度、露光時間、雰囲気温度、電子線重合のための電子線強度、暴露時間、雰囲気温度、塗布時の溶媒の種類や組成比、溶液濃度、ウエット膜厚、乾燥温度、温度降下時の開始温度、温度降下速度などを調整することによって制御可能であるが、これらに限定されない。
【００２７】
図３および図４は、本実施形態に用いる電子表示媒体に印加される電圧と照射される光、およびそれによって書き込まれた画像の反射率との関係の一例を示す模式図である。
【００２８】
図３および図４において、第１段目（Ａ）は、一対の電極に印加される印加電圧、第２段目（Ｂ）は、光書込手段から照射される光の露光強度、第３段目（Ｃ）は、液晶層のうちの光が照射された部分の反射率、第４段目（Ｄ）は、液晶層のうちの光が照射されない部分の反射率をそれぞれ表している。また、印加電圧は、交流パルス電圧ＶｂとＶａで、それぞれＴ１とＴ２時間だけ印加される。
【００２９】
図３では、まず第一ステップとして、図２で示したＶｆｐｕ以上の電圧Ｖｂが印加されることによって、液晶層のコレステリック液晶分子がプレーナー相に配列する。その後、電圧Ｖｂの印加を停止しても、プレーナー相のメモリ性によって、液晶層は高い反射率を保持している。次に第二ステップにおいて、図２で示したＶｐｆｅからＶｐｆｕの範囲内の電圧Ｖａが印加されるが、第２段目（Ｂ）に示す光の照射が始まるまで、プレーナー相は保持されるので、第３段目（Ｃ）、第４段目（Ｄ）に示すように液晶層は、選択反射を示す。
【００３０】
その後、第２段目（Ｂ）に示す光の照射が開始されると、液晶層の分圧が変化し、液晶層のうちの光が照射された部分の反射率は、第３段目（Ｃ）に示すように、プレーナ相からフォーカルコニック相に変化し、光の照射が終わっても、フォーカルコニック相はメモリ性があるので、低い反射率が保持される。
【００３１】
一方、液晶層のうちの光が照射されない部分の反射率は、第４段目（Ｄ）に示すように、第一のステップにおいて電圧Ｖ４が印加されたことにより形成されたプレーナ相が保持され、選択反射を示す。
【００３２】
図４では、第一ステップとして、図３と異なり、電圧Ｖｂが印加される代わりに、Ｖｃと光の照射とにより、液晶層のコレステリック液晶分子全体をプレーナ相に配向させる点は相違するが、それ以外は図３と共通する。
【００３３】
電圧印加手段から電圧Ｖｃを印加し、光書込手段により液晶層全体に均一な強度の光を照射することにより、電圧Ｖｂを印加するのと同様の作用を得ることができるので、電圧印加手段から印加する電圧の種類を少なくすることができる。次に、本発明の画像書込装置の実施形態について説明する。
図５は、本実施形態の画像書込装置の構成を示す概略図である。
【００３４】
図１に示す画像書込装置は、電圧印加手段２１と、光照射手段２２と、制御手段２３とにより構成され、制御手段２３は、オペレータが指示を行うツールとしてのパーソナルコンピュ−タ（ＰＣ）に接続されている。なお、ここでは、制御手段２３にＰＣを接続しているが、必ずしもＰＣを用いる必要はなく、制御手段２３に操作子を設けてもよい。
【００３５】
電圧印加手段１は、複数の電子表示媒体２５それぞれの一対の電極に接続される媒体接続部２１ａと、それぞれの一対の電極間に印加する所定電位のパルス電圧を生成する駆動パルス生成部２１ｂとにより構成され、電子表示媒体２５には、個別に少なくとも２種類の電圧が印加できるようになっている。また、光照射手段２２は、画像信号２２ｃを画像処理して輝度信号に変換し、その輝度に応じた画像を生成するパターン生成部２２ａと、その画像に、円偏光板を経由して所定の方向にのみ回転する所定強度の旋光を照射する円偏光光照射部２２ｂとを有し、電子表示媒体２５には、生成されたパターンを担持する旋光が照射される。
【００３６】
ここで、電子表示媒体２５には、書き込んだ画像を読み取る読取光（可視光）が光導電層に達しないように遮光する遮光層が設けられており、円偏光光照射部２２ｂからは赤外光が照射される。
【００３７】
さらに、制御手段２３は、制御部２３ａと駆動信号切替え部２３ｃとの間の信号の送受を行う駆動信号通信部２３ｂと、パルス電圧を印加する電子表示媒体２５を特定したり、電圧を印加するタイミングを計って駆動パルス生成部２１ｂを駆動させる駆動信号切り替え部２３ｃと、制御部２３ａとタイミング制御回路２３ｇとの間の信号の送受を行う光書き込み信号通信部２３ｆと、画像を担持する旋光を電子表示媒体２５に照射するタイミングをとるタイミング制御回路２３ｇと、予めテーブル化してある手順表の中からＰＣを介したオペレータの指示にマッチする手順を選択し、その手順に則して所定の信号を発出する制御部２３ａとを備えており、電圧印加手段２１と光照射手段２２とを調整して指令に基く所望の画像を電子表示媒体２５に書き込む。
【００３８】
本実施形態では、一対の電極間に選択反射波長域が同じコレステリック液晶からなる液晶層と、光の照射により抵抗値が変化する光導電層と、読み取り光を遮光する遮光層とが積層された電子表示媒体２５であって、液晶層をプレーナ（Ｐ）配向からフォーカルコニック（Ｆ）配向に変化させる閾値電圧がＶａであり、フォーカルコニック（Ｆ）配向からプレーナ（Ｐ）配向に変化させる閾値電圧がＶｃであるものが用いられるが、必ずしもこれに限定されない。また、電圧印加手段２１が各電子表示媒体２５に個別に印加できる電圧は、上述したＶａとＶｃの他に、光の照射の有無に拘わらず液晶層全体をフォーカルコニック（Ｆ）配向にする電圧Ｖｄとプレーナ（Ｐ）配向にする電圧Ｖｂの４種類があるが、必ずしも４種類全てを必要とするものではなく、光照射手段２２から液晶層全体に均一に光を照射することと組み合わせることにより、種類を少なくすることができる。
【００３９】
この画像書込装置を用いて複数の電子表示媒体２５に画像を書き込む場合には、媒体接続部２１ａに複数の電子表示媒体２５を重ね合わせて取りつけ、各電子表示媒体２５の一対の電極を電圧印加手段２１の駆動パルス生成部２１ｂに接続する。
【００４０】
ここで、各電子表示媒体２５の端部に媒体接続部２１ａに取り付けるコネクタ２５ａを取り付けることにより、各電子表示媒体２５の一対の電極はコネクタ２２５ａの外部接続端子２５ｂに接続され、各コネクタ２５ａを媒体接続部２１ａに差し込むと、各電子表示媒体２５の一対の電極に接続された外部接続端子２５ｂが駆動パルス生成部２１ｂに接続されるように構成されている。
【００４１】
各電子表示媒体２５に画像を書き込むため、ＰＣから書き込みたい画像とパターン生成部２２ａの表示態様（明部と暗部とが反転して表示された「ネガ表示画像」であるか、ある暗部は光を吸収し明部は光を透過する状態で表示された「ポジ表示画像」であるか。）と、電子表示媒体２５の表示態様（パターン生成部が表示する暗部を、光が透過する暗状態で表示する「ポジ画像」とするか、あるいは光が反射される明状態で表示する「ネガ画像」とするかなど。）と、書き込む電子表示媒体２５とが指示されると、先ず、制御手段２３は、駆動パルス生成部２１ｂに、指示された電子表示媒体２５それぞれの一対の電極毎に表示態様にしたがった所定の電圧ＶｂもしくはＶｄを印加させ、各電子表示媒体２５の液晶層全体をプレーナ（Ｐ）配向もしくはフォーカルコニック（Ｆ）配向にする。次に、制御手段２３は、光照射手段２２に遠い電子表示媒体２５から光照射手段２２に近い電子表示媒体２５の順に、それぞれ書き込みたい画像を担持する光を光照射手段２２から照射させるとともに、電圧印加手段２１から各電子表示媒体２５の一対の電極に電圧Ｖａ、あるいは電圧Ｖｃを印加させることにより、各電子表示媒体２５にそれぞれの画像をそれぞれ指定の表示態様で書き込むことができる。
【００４２】
ここで、媒体接続部２１ａに取りつけられた画像を書き込む電子表示媒体２５よりもパターン生成部２２ａ側に重ね合わされた電子表示媒体２５は、液晶層全体をあらかじめフォーカルコニック配向にして、光照射手段２２から画像を書き込む電子表示媒体２５に照射される、画像を担持する光が透過する状態にしておく必要がある。
【００４３】
次に、画像が記録された電子表示媒体２５に、その画像の追記画像を書き込みたい場合には、その電子表示媒体２５の裏面側に別の電子表示媒体２５を重ね合わせ、追記画像を担持する光がその別の電子表示媒体２５を介して照射されるように配置する。
【００４４】
そして、制御手段２３は、その別の電子表示媒体２５に、光書込手段２２から、追記画像を書き込む電子表示媒体２５に記録されている画像と同じ画像を担持する光を照射させながら、電圧印加手段２１から、追記画像を書き込む電子表示媒体２５に画像を記録する際に印加したのと同じ電圧ＶａもしくはＶｃを印加させて、追記画像を書き込む電子表示媒体２５に記録された画像と「同じ画像」を書き込むか、あるいは画像を記録する際に印加したのとは異なる電圧ＶｃもしくはＶａを印加させて、追記画像を書き込む電子表示媒体２５に記録された画像の「ネガ画像」を書き込んで、追記画像を書き込む電子表示媒体２５のフォトマスクを作成する。
【００４５】
さらに、制御手段２３は、「同じ画像」もしくは「ネガ画像」を書き込んだ別な電子表示媒体２５、すなわちフォトマスクを介して追記画像を書き込む電子表示媒体２５に、光照射手段２２から、追記画像を担持する光を照射させるとともに、電圧印加手段２１から、別な電子表示媒体２５に、「ネガ画像」が書き込まれている場合には電圧Ｖｃを印加させ、「同じ画像」が書き込まれている場合には電圧Ｖａを印加させる。これによって、追記画像を書き込む電子表示媒体２５には、すでに記録されている画像と同じ表示態様の追記画像が記録される。ただし、電圧Ｖａを印加させ「同じ画像」を書き込ませる場合には、追記画像を書き込む電子表示媒体２５の液晶層全体をあらかじめプレーナ相にしておく必要がある。
【００４６】
ここで、液晶分子が螺旋構造を持つコレステリック液晶は、螺旋軸に平行に入射した光を右旋光と左旋光に分け、螺旋の捩れ方向に一致する円偏光成分を反射し、残りの光を透過させる選択反射を起こす。したがって、別な電子表示媒体２５を追記画像を書き込む電子表示媒体２５のフォトマスクなどとしてより有効に機能させるためには、光照射手段２２から照射された光を別な電子表示媒体２５の「プレーナ相」で完全に選択反射させる必要がある。そこで、本実施形態では、光照射手段２２は、円偏光板を備え、その円偏光板を経由して光照射手段２２から照射される光は、コレステリック液晶分子の捩れ方向と同方向の旋光となるように構成されている。
【００４７】
次に、本実施形態の画像書込装置を用いて電子表示媒体に追記画像を記録する例について説明する。
【００４８】
図６および図７は、追記画像の記録方法を説明するために、２枚重ね合わせた電子表示媒体の挙動を示す図であり、図６は、コレステリック液晶の連続相中に網目状の樹脂を含むＰＮＬＣ構造の液晶層を有する電子表示媒体を用いる場合であり、図７は、高分子の骨格中にコレステリック液晶をドロップレット状に分散させたＰＤＬＣ構造の液晶層を有する電子表示媒体を用いる場合を示す図である。なお、ここで用いる電子表示媒体は、後述する実施例で詳しく説明する。
【００４９】
図６において、透明な表面側の基板１ａに透明電極２ａが、透明な裏面側の基板１ｂ上には透明電極２ｂが形成され、透明電極２ａと透明電極２ｂとの間には、コレステリック液晶からなる液晶層３、遮光層６、光導電層４がそれぞれ積層された２枚の電子表示媒体９，１０を、追記画像を記録する電子表示媒体９が上に、マスク用の電子表示媒体１０が下になるように重ねられている。電極２ａ，２ｂは、図示しない外部電極に接続される。
【００５０】
先ず１回目は、追記画像を記録する電子表示媒体９の下側に位置する電子表示媒体１０は光が透過するようにフォーカルコニック相にする。また、パターン生成部のポジ表示画像の暗部が、追記画像を記録する電子表示媒体９を透過状態、ポジ表示画像の明部が、追記画像を記録する電子表示媒体９の光反射状態で表示するため、電圧Ｖｃを印加してパターン生成部のポジ表示画像を投影しながら追記画像を記録する電子表示媒体９に画像を書き込む。
【００５１】
次に、２回目は、マスク用の電子表示媒体１０に追記画像を記録する電子表示媒体９に記録された画像のネガ画像を書き込んで、マスク用の電子表示媒体１０を追記画像を記録する電子表示媒体９のフォトマスクとするため、マスク用の電子表示媒体１０の電極に電圧Ｖｂを印加して液晶層をプレーナ相にする。そして、追記画像を記録する電子表示媒体９に記録した画像と同じ画像を有するパターン生成部のポジ表示画像を投影しながら電圧Ｖａを印加して、ネガ画像を書き込む。
【００５２】
ここで、マスク用の電子表示媒体１０には、追記画像を記録する電子表示媒体９の光透過状態は光反射状態に、追記画像を記録する電子表示媒体９の光反射状態は光透過状態に反転されて画像が記録される。
【００５３】
そして、３回目は、マスク用の電子表示媒体１０に記録されたフォトマスクを介して、追記画像を書き込むパターン生成部２２ａのポジ表示画像を、円偏光光照射部２２ｂの光を照射するとともに、追記画像を記録する電子表示媒体９に電圧Ｖｃを印加して、追記画像を書き込む。
【００５４】
追記画像を記録する電子表示媒体９には電圧Ｖｃが印加されているので、光があたるか否かによる抵抗値の変化により分圧が変化し、マスク用の電子表示媒体１０がプレーナ相の場合には光が遮断されてフォーカルコニック相が維持され、マスク用の電子表示媒体１０がフォーカルコニック相の場合には光が透過されてプレーナ相に変化するが、追記画像を書き込むパターン生成部２２ａのポジ表示画像により光が遮光された場合は、マスク用の電子表示媒体１０がフォーカルコニック相の場合であっても光が透過しないのでて追記画像を記録する電子表示媒体９は、フォーカルコニック相が維持され、追記されたポジ画像が書き込まれる。追記画像を書き込むパターン生成部２２ａのポジ表示画像により光が透過された場合でも、マスク用の電子表示媒体１０がプレーナ相の場合には、光が遮光されるので追記画像を記録する電子表示媒体９は、フォーカルコニック相が維持される。
【００５５】
本実施例では、Ｖｃを印加し、パターン生成部２２ａのポジ表示画像の暗部が、追記画像を記録する電子表示媒体９の光透過状態で、ポジ表示画像の明部が、追記画像を記録する電子表示媒体９の光反射状態で表示される画像の書き込みを行ったが、Ｖｃを印加し、パターン生成部２２ａのネガ表示画像の明部が、追記画像を記録する電子表示媒体９の光透過状態、ネガ表示画像の暗部が、追記画像を記録する電子表示媒体９の光反射状態で表示する画像の書き込みを行うこともできる。さらに、追記画像を記録する電子表示媒体９と同じ表示態様の画像をマスク用の電子表示媒体１０に書き込んで、マスク用の電子表示媒体１０の画像とパターン生成部２２ａの追記画像とを同時に書き込むこともできる。
【００５６】
この場合、円偏光光照射部２２ｂから照射される円偏光した光の波長は、感光体の吸光度からして６５０ｎｍ以上とする必要があり、さらにコレステリック液晶の選択反射波長域も６５０ｎｍ以上に合わせておく必要がある。
【００５７】
一方、図７に示す電子表示媒体は、図６に示した電子表示媒体と較べて、液晶層３の構造が高分子の支持多孔構造中にコレステリック液晶を、液晶のまわりに形成されたカプセルによって分散させている点が相違するがそれ以外は共通し、追記画像の記録方法は、図６を用いて説明したものと同様である。
【００５８】
以上説明した本実施形態の画像書込装置においては、追記画像を記録する電子表示媒体９は、マスク用の電子表示媒体１０よりも光導電層４の感度が高いものを使用することとより一層奇麗な画像を表示することが出来る。
【００５９】
図８は、本実施形態に用いる電子表示媒体の透明基板と電極の光透過率を示す図であり、図９は、本実施形態に用いる電子表示媒体の光導電層の光透過率を示す図である。
【００６０】
追記画像を記録する電子表示媒体９には、図８に示すマスク用の電子表示媒体１０の、透明基板（ＰＥＳ）１ａ，１ｂと電極（ＩＴＯ）２ａ，２ｂの光透過率、および図９に示すマスク用の電子表示媒体１０の、光導電層４による光透過率をそれぞれ掛け合わせて求めた光透過率に基く光量が到達することになるため、追記画像を記録する電子表示媒体９は、マスク用の電子表示媒体１０よりも光導電層４の感度の高いものを用いるのがよい。
【００６１】
光導電層４の感度は、図１０に示すように、用いる材料を例えば、Ｈフタロシアニン、クロロガリウム、ヒドロキシガリウムのように変化させたり、膜厚を調整することにより任意に設定することができる。
次に、本実施形態の画像書込装置を用いて電子表示媒体に追記画像を書き込む場合の制御手順の一例について説明する。
【００６２】
図１１は、本例に用いる電子表示媒体の電圧-反射率特性を示す図である。
【００６３】
図１１に示すように、光が照射された状態において液晶層がプレーナ相からフォーカルコニック相へ変化する閾値電圧Ｖｐｆｅが７０Ｖ、光が照射されない状態において液晶層がプレーナ相からフォーカルコニック相へ変化する閾値電圧Ｖｐｆｕが１００Ｖであり（この範囲の電圧をＶａと称する。）、光が照射された状態において液晶層がフォーカルコニック相からプレーナ相へ変化する閾値電圧Ｖｆｐｅが２００Ｖ、光が照射されない状態において液晶層がフォーカルコニック相からプレーナ相へ変化する閾値電圧Ｖｆｐｕが２８０Ｖである（この範囲の電圧をＶｃと称する。）。さらに、光の照射の有無に拘わらず、液晶層全体がプレーナ相へ変化する電圧をＶｂと称する。
【００６４】
図１２は、追記画像を書き込む制御手順を示す図である。
【００６５】
図１２において、先ず、追記画像を記録する電子表示媒体９と、マスク用の電子表示媒体１０それぞれの一対の電極を媒体接続部に接続し（Ｓ−１）、タイミング制御回路を駆動して、円偏光光照射部から電子表示媒体９，１０全体に一様な光を照射させながら、駆動信号切替え部を切替えることにより、追記画像を記録する電子表示媒体９、マスク用の電子表示媒体１０双方に電圧Ｖａを印加させて、双方をフォーカルコニック相にしておく（Ｓ−２）。これにより、マスク用の電子表示媒体１０は、追記画像を記録する電子表示媒体９に画像を書き込む光が透過する状態となる。なお、電子表示媒体９，１０全体に一様な光を照射させながら、電圧Ｖａを印加させる代わりに、ＶｐｆｕからＶｆｐｅまでの電圧、例えば１５０Ｖを印加するようにしてもよい。
【００６６】
次に、追記画像を記録する電子表示媒体９に画像を記録する。
【００６７】
ＰＣから画像信号を送り、パターン生成部に記録したい画像を生成する（Ｓ−３）。円偏光光照射部は、タイミング制御回路からタイミング信号を受けて（Ｓ−４）、パターン生成部を介して所定の時間だけ光を照射する（Ｓ−５）。一方、駆動信号切り替え部は、電圧を印加する電子表示媒体を追記画像を記録する電子表示媒体９に切り替えるとともに（Ｓ−６）、制御部のタイミング信号を受けて（Ｓ−７）、駆動パルス生成部から、所定の時間、電圧Ｖｃを印加させて（Ｓ−８）、画像を書き込み（Ｓ−９）、その後電圧の印加を停止させる（Ｓ−１０）。
【００６８】
次に、マスク用の電子表示媒体１０に、追記画像を記録する電子表示媒体９とは明暗が逆転したネガ画像を書き込む。
【００６９】
明暗が逆転したネガ画像をマスク用の電子表示媒体１０に書き込むためには、マスク用の電子表示媒体１０をプレーナ相にする必要があり、そのためにマスク用の電子表示媒体１０に電圧Ｖｂを印加するか、あるいは一様な光を照射しながら電圧Ｖｃを印加する（Ｓ−２１）。
【００７０】
ネガ画像の書き込みは、ＰＣから、追記画像を記録する電子表示媒体９に送ったと同じ画像信号を送り（Ｓ−２２）、パターン生成部に同じ画像を生成する。円偏光光照射部は、タイミング制御回路からタイミング信号を受けて（Ｓ−２３）、パターン生成部を介して所定の時間だけ光を照射する（Ｓ−２４）。一方、駆動信号切り替え部は、電圧を印加する電子表示媒体をマスク用画像を記録する電子表示媒体１０に切り替えるとともに（Ｓ−２５）、制御部のタイミング信号を受けて（Ｓ−２６）、駆動パルス生成部から、所定の時間、電圧Ｖａを印加させ（Ｓ−２７）、ネガ画像を書き込み（Ｓ−２８）、その後電圧の印加を停止させる（Ｓ−２９）。
【００７１】
これによりマスク用の電子表示媒体１０には、追記画像を記録する電子表示媒体９に記録された画像とはプレーナ相とフォーカルコニック相とが逆転し明暗が反転したネガ画像が書き込まれる。
【００７２】
次に、追記画像を記録する電子表示媒体９に、所望の追記画像を同じ表示態様で書き込む。
【００７３】
追記画像を記録する電子表示媒体９に既に記録されている画像と追記画像との双方の画像を記録するためには、追記画像を記録する電子表示媒体９の下側にマスク用の電子表示媒体１０を密着させ、パターン生成部に追記する画像をセットする（Ｓ−３２）。円偏光光照射部は、タイミング制御回路からタイミング信号を受けて（Ｓ−３３）、パターン生成部を介して所定の時間だけ光を照射する（Ｓ−３４）。一方、駆動信号切り替え部は、電圧を印加する電子表示媒体を追記画像を記録する電子表示媒体９に切り替えるとともに（Ｓ−３５）、制御部のタイミング信号を受けて（Ｓ−３６）、駆動パルス生成部から、所定の時間、電圧Ｖｃを印加させて（Ｓ−３７）、追記画像を記録する電子表示媒体９に既に記録されていた画像を再度書き込むとともに、マスク用の電子表示媒体１０のネガ画像によりマスクされていない部分に、追記画像を書き込み（Ｓ−３８）、その後電圧の印加を停止させる（Ｓ−３９）。
【００７４】
これにより、追記画像を記録する電子表示媒体９には先に記録された画像と新たに追記した追記画像が合成されて記録される。
【００７５】
ここでは、追記画像を記録する電子表示媒体９に電圧Ｖｃを印加して、パターン生成部のポジ表示画像の暗部が、追記画像を記録する電子表示媒体９の光透過状態、ポジ表示画像の明部が、追記画像を記録する電子表示媒体９の光反射状態で表示する画像の書き込みを行う場合について示したが、パターン生成部のネガ表示画像の明部が、追記画像を記録する電子表示媒体９の光透過状態、ポジ表示画像の暗部が、追記画像を記録する電子表示媒体９の光透過状態で表示する画像の書き込みを行うことも、さらに、追記画像を記録する電子表示媒体９と同じ表示態様の画像をマスク用の電子表示媒体１０に書き込んで、マスク用の電子表示媒体１０とパターン生成部の追記画像を同時に書き込みを行うこともできる。
【００７６】
次に、電子表示媒体の実施例について説明する。
【００７７】
【実施例】
（第１の実施例）
図１３は、本実施形態に用いる一例として示す電子表示媒体の断面構成図である。
【００７８】
図１３に示すように、透明な表面側の基板１ａと、透明な裏面側の基板１ｂとがあり、基板１ａ上には透明電極２ａが、基板１ｂ上には透明電極２ｂが形成され、透明電極２ａと透明電極２ｂとの間に、液晶層３と、遮光層６と、光導電層４とが積層された電子表示媒体が２枚重ねられている。透明電極２ａ，２ｂは、それぞれ基板１ａ，１ｂに透明な電極膜が被着され、電子表示媒体を駆動する電極群あるいは外部電極に接続される。
【００７９】
この電極２ａ，２ｂは、導電性を有する材料であれば特に制限はないが、導電性及び透明性の両性質を有する材料を用いることが好ましく、具体的にはＮＥＳＡ膜、酸化インジウム又は酸化インジウムと、酸化錫との混合物からなるＩＴＯ（ｉｎｄｉｕｍ  ｔｉｎ  ｏｘｉｄｅ）膜などが用いられ、透明基板に、蒸着、スパッタリング等の方法を用いて形成される。
【００８０】
この電極膜は、必要に応じてエッチングすることによりドットマトリクス表示用のストライプ状電極パターンとしたり、セグメント表示用電極パターンとすることができる。また、ストライプ状電極パターンとセグメント表示用電極パターンを混在させることもできる。
【００８１】
また、透明基板１ａ，１ｂは、可視光線に対して透明な材料が用いられ、典型的にはソーダガラスやコーニング７０５９（コーニング社製）などが用いられるが、これらに限定されない。透明基板１ａ，１ｂとして可撓性基板を用いる場合におけるプラスチックフィルム基板の素材としては、一軸または二軸延伸ポリエチレンテレフタレートなどの結晶性ポリマーや、ポリスチレン、ポリエーテルスルホンなどの非結晶性ポリマーや、ポリエチレン、ポリプロピレンなどのポリオレフィンや、ポリカーボネート、ナイロンなどのポリアミドがあり、厚さは、０．３ｍｍ以下、好ましくは２０〜２００μｍのものがよい。また、必要に応じて透明基板１ａ，１ｂの表面に耐磨耗層、ガスバリア層などの機能膜を形成してもよい。
【００８２】
液晶層３を構成するコレステリック液晶としては、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系などの正の誘電率異方性を有するネマチック液晶、またはこれらの混合物に、エステル誘導体、シアノビフェニル誘導体、ビスアニール誘導体などの、光学活性なカイラル剤を添加した材料が用いられる。コレステリック液晶の螺旋ピッチは、ネマチック液晶に対するカイラル剤の添加量で調整する。例えば、表示色を青にする場合には、選択反射の中心波長を４００〜５００ｎｍ、表示色を緑にする場合には、選択反射の中心波長を５００〜６００ｎｍ、表示色を赤にする場合には選択反射の中心波長を６００〜７００ｎｍの範囲になるように調整する。コレステリック液晶の螺旋ピッチの温度依存性を補償するために、捩れ方向が異なったり、あるいは温度依存性が逆に働く複数のカイラル剤を添加しても良い。
【００８３】
液晶層３が、コレステリック液晶と透明樹脂からなる自己保持型液晶−樹脂複合体を形成する形態としてはコレステリック液晶の連続相中に網目状の樹脂を含むＰＮＬＣ（Ｐｏｌｙｍｅｒ  Ｎｅｔｗｏｒｋ  Ｌｉｑｕｉｄ  Ｄｒｙｓｔａｌ）構造や、高分子の骨格中にコレステリック液晶をドロップレット状に分散させたＰＤＬＣ（Ｐｏｌｙｍｅｒ  Ｄｉｓｐｒｅｄ  ＬｉｑｕｉｄＣｒｙｓｔａｌ）構造を用いることが出来る。
【００８４】
ＰＮＬＣ構造やＰＤＬＣ構造は高分子と液晶を相分離させる方法、例えばアクリル系、チオール系、エポキシ系などの、熱や光、電子線などによって重合する高分子前駆体と液晶を混合し、均一相の状態から重合させて相分離させるＰＩＰＳ（Ｐｏｌｙｍｅｒｉｚａｔｉｏｎ  Ｉｎｄｕｃｅｄ  Ｐｈａｓｅ  Ｓｅｐａｒａｔｉｏ）法、ポリビニルアルコールなどの液晶溶解度が低い高分子と液晶を混合し、攪拌懸濁させて液晶を高分子中にドロップレット分散させるエマルジョン法、熱可塑性高分子と液晶を混合し、均一相に加熱した状態から冷却して相分離させるＴＩＰＳ（Ｔｈｅｒｍａｌｌｙ  Ｉｎｄｕｃｅｄ  Ｐｈａｓｅ  Ｓｅｐａｒａｔｉｏｎ）法、高分子と液晶をクロロホルムなどの溶媒に溶かし、溶媒を蒸発させて高分子と液晶を相分離させるＳＩＰＳ（ＳｏｌｖｅｎｔＩｎｄｕｃｅｄＰｈａｓｅ  Ｓｅｐａｒａｔｉｏｎ）法などによって形成することが出来るが、これらに限定されるものではない。
【００８５】
液晶層３を形成する場合には表面側の基板１ａと有機光導電層４の間にシリカ又はガラス又はプラスチックのスペーサを散布し、液晶層の厚みを数μｍ〜数十μｍに制御するのが一般的であるが、散布量が多くなると電子表示媒体のコントラスト比の低下をきたすおそれがある。
【００８６】
有機光導電体層４は、電荷移動錯体型、共晶錯体型、積層型のいずれの形式を用いてもよい。具体的にはポリ―Ｎ―ビニルカルバゾール／２，４，７−トリニトロフルオレノン系、ビリリウム塩とポリカーボネートとの共晶体にトリフェニルメタン系化合物を分散させたもの、アゾ化合物やフタロシアニン化合物などの有機顔料からなる電荷発生材料と電荷担体の低分子輸送物質をポリエステル、ポリカーボネートなどの汎用樹脂中に溶解分散させた電荷輸送材料を層状に分離して形成したものなどを用いることができるが、これらの材料に限定されるものではなく、機能的に特定の光の露光によって誘電率や導電率が大きく変化するものであればよい。
【００８７】
光導電層４と裏面側の透明な基板１ｂ上に形成された電極２ｂとの間には遮光層６が形成される。この遮光層６は、具体的にはブラックポリイミドＢＫＲ−１０５（日本化薬社製）をスピンコート法にて０．７μｍ厚に形成したり、ＣＫ７８００Ｌ（大日本インキ製）をスピンコータで１．２μｍ厚形成したりするが、この場合の遮光層６は可視光の透過がほとんどないので、液晶層３に記録された画像のコントラストを高めることができる。
【００８８】
図１４は、遮光層（ＣＦＲ６３３ＤＨＰ／ＰＣ−Ｂｋ−００６Ｐ）の、各波長に対する吸光度の特性図である。
【００８９】
図１４に示すように、５００ｎｍ以下の波長では吸光されて光がほとんど透過しないが、７００ｎｍ以上の波長の光は透過する。
【００９０】
図１５は、感光体（Ｈフタロシアニン、クロロガリウムフタロシアニン）の、各波長に対する光吸収率の特性図である。
【００９１】
図１５に示すように、５００ｎｍ付近では光がほとんど吸収されず感度がないが、６００ｎｍ以上では４０％から５０％が吸収され、感度があることがわかる。
【００９２】
したがって、図１４および図１５から明らかなように、電子表示媒体に照射される画像を担持する光の波長が７００ｎｍ以上であれば遮光層を設けることが可能となる。
【００９３】
次に、実際に２枚の電子表示媒体９，１０を重ねて、それぞれの一対の電極２ａ，２ｂに、高圧電圧増幅器を介した任意波形発生装置に接続し、画像書込装置の光照射手段２２から画像、あるいは追記画像を担持する光を２枚の電子表示媒体９，１０に照射することができるように配置した。この構成において電子表示媒体９，１０の光導電層４に光を照射させないで、５０Ｈｚ、周期３００ｍｓの矩形波を印加した後、電圧をオフしたところ、矩形波の振幅が８０Ｖから１４０Ｖの間においては、電子表示媒体９，１０は選択反射を示さず透明に黒っぽく見え、矩形波の振幅が１６０Ｖ以上においては、白っぽい色を示した。
【００９４】
一方、電子表示媒体９，１０の光導電層４に光を照射しながら、５０Ｈｚ、３００ｍｓ期間の矩形波を与えた後、電圧をオフしたところ、矩形波の振幅が７５Ｖから１２０Ｖの間においては、電子表示媒体９，１０は選択反射を示さず透明に見え、矩形波の振幅が１３０Ｖ以上においては白っぽい色を示した。
（第２の実施例）
図１６は、本実施形態に用いる他の例として示す電子表示媒体の断面構成図である。
【００９５】
図１６に示す電子表示媒体は、図１３に示す電子表示媒体と較べて、液晶層３は、高分子の支持多孔構造中にコレステリック液晶をドロップレット分散させてＰＤＬＣ構造を形成することにより液晶のまわりに形成されたカプセルによってスペーサが省略されている点が相違する。
【００９６】
第２の実施例の電子表示媒体は、２枚の透明な基板間１ａ，１ｂにコレステリック液晶をポリマーで封入したカプセルを分散させた溶液を塗布した。このようなカプセルを分散させた液晶は２枚の透明な基板１ａ，１ｂ間に電界が印加されない場合は、カプセル内の液晶で光が反射して液晶が乳白色に視認できる。また、２枚の透明な基板１ａ，１ｂ間に電界が印加される場合は液晶およびカプセル内の液晶が透明になる。
【００９７】
ＩＴＯ付きフィルム（ＰＥＴ）基板（厚み１２５μｍ）１ａにパターニングされたＩＴＯ電極２ａ上に機能性薄膜印刷装置又はアプリケーターで均一にコレステリック液晶を塗布した。コレステリック液晶溶液の塗布膜厚は溶媒が蒸発した時のコレステリック液晶膜厚が、用いたカプセルの直径と同程度あるいはそれ以上になるようにする。液晶を溶解する溶媒としては、芳香族系、脂肪族系、アルコール系等の一般的なものを用いることができる。コレステリック液晶の塗布領域は一対の透明基板１ａ，１ｂを重ね合わせる領域より小さく塗布する。
【００９８】
なお、本発明ではコレステリック液晶の塗布を機能性薄膜印刷装置やアプリケーターで行ったが、この方法に限ったものではなく、例えばスクリーン印刷のように印刷版を使用したものやディスペンサやスプレーコータのように塗布領域を移動させるものでも構わない。
【００９９】
コレステリック液晶を塗布後は透明基板１ａ，１ｂを加熱又は常温放置して、溶媒を蒸発させる。加熱の方法としては、例えばホットプレートを用いてコレステリック液晶を塗布した透明基板１ａ，１ｂをその上に載置する方法、温風の吹き付けによる方法、赤外線やマイクロ波の照射による方法、コレステリック液晶塗布基板１ａのコレステリック液晶塗布面の裏側から加熱ステンレスロール等の加熱金属ロールを押し当てて加熱する方法等が挙げられる。
【０１００】
本実施例ではコレステリック液晶を塗布した透明な基板１ａを常温で一日放置することにより、溶媒を蒸発させ、液晶層３を形成した。
【０１０１】
次いで、基板ラミネータによって透明な基板１ａのコレステリック液晶塗布面にもう一方の電極２ｂを形成した透明な基板１ｂ（ＰＥＴ、厚さ１２５μｍ）を、電極２ｂ面がコレステリック液晶に接するようにして積層する。
【０１０２】
積層の方法としては、コレステリック液晶を塗布した透明な基板１ａを、ヒーターを内蔵した２本のロール間に光導電体を塗布した透明な基板１ｂと合わせて通過させる。また別の積層の方法としてはコレステリック液晶を塗布した透明な基板１ａを、ヒータを内蔵した平坦ステージに、電極２ａ面の裏面から固定する。もう一方の透明な基板１ｂは平坦ステージに固定された透明な基板１ａの電極２ａと、もう一方の透明な基板１ｂ上の電極２ｂとが互いに内面を向き合うように位置あわせしてヒータを内蔵した貼り付けヘッドに電極２ｂ面の裏面から吸着して固定する。
【０１０３】
基板ラミネータは貼り付けヘッドに吸着固定した透明な基板１ｂの電極２ｂ面がコレステリック液晶を塗布した面と互いに向かい合うように位置あわせし、端部より、同じく内部に加熱ヒータを内蔵した貼り付けロールを移動させることにより順次積層していく。
【０１０４】
より具体的にはコレステリック液晶を塗布した透明な基板１ａを固定する平坦ステージの内部にあるヒータと透明な基板１ｂを固定する貼り付けヘッドの内部のヒータと一対の透明基板を積層する際の貼り付けロールの内部にあるヒータは互いの透明基板の熱膨張を考慮して同じ温度に設定する。
【０１０５】
また、一対の基板を積層する時は一対の透明基板１ａ、１ｂに挟持された液晶層３に微小な気泡が生じないようにするため、すべての内蔵ヒータを１１０℃に設定している。
【０１０６】
本方法によれば、例えば可撓性基板の場合、一対のプラスチックフィルム基板は同じ温度に加熱されるのでプラスチックフィルム基板の端部がカールして透明電極が断裂する問題は生じない。
【０１０７】
本実施例では透明基板にコレステリック液晶を塗布する方法を示したが、透明基板の透明電極と、もう一方の透明基板の透明電極上にあるコレステリック液晶との間に光導電体や遮光膜を形成する場合も、本塗布方法と同様に行えることが実験で確認されている。
【０１０８】
【発明の効果】
本発明の画像書込装置によれば、電子表示媒体を２枚重ね合わせ、それぞれの電子表示媒体に印加する印加電圧と、画像を担持する書込光とを調整することにより、先の画像に追記画像を書き込んだ合成画像を表示させることができる。
【０１０９】
また、この画像書込装置を用いて、２枚の重ね合わせた電子表示媒体の一方に、通常は視認出来ない状態に隠し情報を記録しておき、その隠し情報を視認可能にさせることができるので、認証システムなどに活用することができる。
【図面の簡単な説明】
【図１】本実施形態の画像書込装置で電子表示媒体に画像を記録する原理を説明するための電子表示媒体の等価回路を示す図である。
【図２】本実施形態に用いる電子表示媒体の電圧-反射率特性を示す模式図である。
【図３】本実施形態に用いる電子表示媒体に印加される電圧と照射される光、およびそれによって書き込まれた画像の反射率との関係の一例を示す模式図である。
【図４】本実施形態に用いる電子表示媒体に印加される電圧と照射される光、およびそれによって書き込まれた画像の反射率との関係の一例を示す模式図である。
【図５】本実施形態の画像書込装置の構成を示す概略図である。
【図６】追記画像の記録方法を説明するために、２枚重ね合わせた電子表示媒体の挙動を示す図である。
【図７】追記画像の記録方法を説明するために、２枚重ね合わせた電子表示媒体の挙動を示す図である。
【図８】本実施形態に用いる電子表示媒体の透明基板と電極の光透過率を示す図である。
【図９】本実施形態に用いる電子表示媒体の光導電層の光透過率を示す図である。
【図１０】光導電層４の感度を示す図である。
【図１１】本例に用いる電子表示媒体の電圧-反射率特性を示す図である。
【図１２】追記画像を書き込む制御手順を示す図である。
【図１３】本実施形態に用いる一例として示す電子表示媒体の断面構成図である．
【図１４】遮光層（ＣＦＲ６３３ＤＨＰ／ＰＣ−Ｂｋ−００６Ｐ）の、各波長に対する吸光度の特性図である。
【図１５】感光体（Ｈフタロシアニン、クロロガリウムフタロシアニン）の、各波長に対する光吸収率の特性図である。
【図１６】本実施形態に用いる他の例として示す電子表示媒体の断面構成図である。
【符号の説明】
１ａ，１ｂ  基板
２ａ，２ｂ  電極
３  液晶層
４  光導電層
６  遮光層
９  追記画像を記録する電子表示媒体
１０  マスク用の電子表示媒体
２１  電圧印加手段
２１ａ  媒体接続部
２１ｂ  駆動パルス生成部
２２  光照射手段
２２ａ  パターン生成部
２２ｂ  円偏光光照射部
２２ｃ  画像信号
２３  制御手段
２３ａ  制御部
２３ｂ  駆動信号通信部
２３ｃ  駆動信号切り替え部
２３ｆ  光書き込み信号通信部
２３ｇ  タイミング制御回路
２５  電子表示媒体
【図１】
0003932884.tif 000002
【図２】
0003932884.tif 000003
【図３】
0003932884.tif 000004
【図４】
0003932884.tif 000005
【図５】
0003932884.tif 000006
【図６】
0003932884.tif 000007
【図７】
0003932884.tif 000008
【図８】
0003932884.tif 000009
【図９】
0003932884.tif 000010
【図１０】
0003932884.tif 000011
【図１１】
0003932884.tif 000012
【図１２】
0003932884.tif 000013
【図１３】
0003932884.tif 000014
【図１４】
0003932884.tif 000015
【図１５】
0003932884.tif 000016
【図１６】
0003932884.tif 000017